(57)【要約】【課題】天井裏に設置される空気調和装置の室内ユニット（10）について、天井裏から吸い込まれた空気が室内熱交換器（38）へ送られる設置状態と、室内から吸い込まれた空気が室内熱交換器（38）へ送られる設置状態とに対応可能な室内ユニット（10）を提供する。【解決手段】室内ユニット（10）を、天井裏から吸い込まれた空気が室内熱交換器（38）へ送られる第１の設置状態と、室内から吸い込まれた空気が室内熱交換器（38）へ送られる第２の設置状態との何れでも設置可能に構成する。【選択図】図２
2007333282.tif 000002
【特許請求の範囲】
【請求項１】
室内熱交換器（38）と室内ファン（39）とを収容して天井裏に設置されるケーシング（34）を備え、該室内熱交換器（38）を通過した空気を該ケーシング（34）に接続されるダクト（11）を介して室内へ供給する空気調和装置の室内ユニットであって、
天井裏から吸い込まれた空気が上記室内熱交換器（38）へ送られる第１の設置状態と、室内から吸い込まれた空気が上記室内熱交換器（38）へ送られる第２の設置状態との何れでも設置可能に構成されていることを特徴とする空気調和装置の室内ユニット。
【請求項２】
請求項１において、
上記ケーシング（34）には、天井裏の空間に開口可能な天井側の吸込口（23a）と、室内空間に開口可能な室内側の吸込口（23b）とが形成され、
上記第１の設置状態では上記室内側の吸込口（23b）を塞ぐようにケーシング（34）に取り付けられ、上記第２の設置状態では上記天井側の吸込口（23a）を塞ぐようにケーシング（34）に取り付けられる閉鎖板（19）を備えていることを特徴とする空気調和装置の室内ユニット。
【請求項３】
請求項２において、
上記天井側の吸込口（23a）が上記ケーシング（34）の上面に形成され、上記室内側の吸込口（23b）が上記ケーシング（34）の下面に形成されていることを特徴とする空気調和装置の室内ユニット。
【請求項４】
請求項３において、
上記室内ファン（39）は、ファンハウジング（35）の側方から吸って前方へ吹き出す多翼ファンとして構成され、該ファンハウジング（35）の側方が上記ケーシング（34）の側面に対面して前方が上記室内熱交換器（38）に対面するように設置されていることを特徴とする空気調和装置の室内ユニット。
【請求項５】
請求項１において、
上記ケーシング（34）の構成面のうちの１つだけに空気の吸込口（23）が開口しており、
上記第１の設置状態では、上記吸込口（23）が天井裏の空間に開口して該吸込口（23）の開口する構成面以外の構成面が底面となる状態で上記ケーシング（34）が設置され、
上記第２の設置状態では、上記吸込口（23）が室内空間に開口して該吸込口（23）が開口する構成面が底面となる状態で上記ケーシング（34）が設置されることを特徴とする空気調和装置の室内ユニット。
【請求項６】
請求項５において、
上記第１の設置状態で上記室内熱交換器（38）の下方に位置する第１のドレンパン（40a）と、
上記第２の設置状態で上記室内熱交換器（38）の下方に位置する第２のドレンパン（40b）と、
上記第１の設置状態では上記第１のドレンパン（40a）からドレン水を吸い込む状態で設置され、上記第２の設置状態では上記第２のドレンパン（40b）からドレン水を吸い込む状態で設置されるドレンポンプ（41）とを備えていることを特徴とする空気調和装置の室内ユニット。
【発明の詳細な説明】
【技術分野】
【０００１】
本発明は、室内空間の天井裏に設置される空気調和装置の室内ユニットに関するものである。
【背景技術】
【０００２】
従来より、室内空間の天井裏に設置される空気調和装置の室内ユニットが知られている。特許文献１には、この種の室内ユニットが開示されている。
【０００３】
具体的に、特許文献１の室内ユニットは、建物の躯体の天井面に固定される支持フレームと、支持フレームの下側に取り付けられるケーシングとを備えている。支持フレームには、熱交換器、ファン、及びファンモータなどの構成機器が取り付けられる。ケーシングは、支持フレームに取り付けられた構成機器を収容する空間を形成する。ケーシングの前面の吹出口と背面の吸込口とには、それぞれ室内空間に連通するダクトが接続される。この室内ユニットは、室内から吸い込まれた空気が熱交換器を通過して室内へ供給されるように構成されている。
【特許文献１】特開平１１−１３２４９２号公報
【発明の開示】
【発明が解決しようとする課題】
【０００４】
ところで、従来より、室内熱交換器に送る空気を天井裏の空間から吸い込むタイプの室内ユニットが知られている。例えば、オフィスビルなどでよく用いられるシステム天井では、天井裏の空間がそれほど密閉されていないので、その空気環境が、室内空間に比べて高温・多湿という状態になる場合はほとんどなく、室内空間に近い状態になる。このような場合、天井裏の空間の空気が室内ユニットの吸込空気として適した状態になっているので、室内熱交換器に送る空気を天井裏の空間から吸い込むタイプの室内ユニットを使用する場合がある。
【０００５】
しかし、従来は、室内熱交換器に送る空気を天井裏の空間から吸い込むタイプの室内ユニットを設置する時に、例えば天井裏の空間の空気が室内ユニットの吸込空気に適していないことが分かった場合などに、室内空間から空気を吸い込むように変更することができない。また、同様に、室内熱交換器に送る空気を室内空間から吸い込むタイプの室内ユニットを、天井裏の空間から空気を吸い込むように変更することもできない。
【０００６】
本発明は、かかる点に鑑みてなされたものであり、その目的とするところは、天井裏に設置される空気調和装置の室内ユニットについて、天井裏から吸い込まれた空気が室内熱交換器へ送られる設置状態と、室内から吸い込まれた空気が室内熱交換器へ送られる設置状態との何れにも対応可能な室内ユニットを提供することにある。
【課題を解決するための手段】
【０００７】
第１の発明は、室内熱交換器（38）と室内ファン（39）とを収容して天井裏に設置されるケーシング（34）を備え、該室内熱交換器（38）を通過した空気を該ケーシング（34）に接続されるダクト（11）を介して室内へ供給する空気調和装置の室内ユニット（10）を対象とする。そして、この室内ユニット（10）は、天井裏から吸い込まれた空気が上記室内熱交換器（38）へ送られる第１の設置状態と、室内から吸い込まれた空気が上記室内熱交換器（38）へ送られる第２の設置状態との何れでも設置可能に構成されている。
【０００８】
第１の発明では、室内ユニット（10）が、第１の設置状態では天井裏から吸い込んだ空気が室内熱交換器（38）へ送られるように設置され、第２の設置状態では室内空間から吸い込んだ空気が室内熱交換器（38）へ送られるように設置される。この室内ユニット（10）は、第１の設置状態と第２の設置状態との何れでも設置可能に構成されている。
【０００９】
第２の発明は、上記第１の発明において、上記ケーシング（34）には、天井裏の空間に開口可能な天井側の吸込口（23a）と、室内空間に開口可能な室内側の吸込口（23b）とが形成され、上記第１の設置状態では上記室内側の吸込口（23b）を塞ぐようにケーシング（34）に取り付けられ、上記第２の設置状態では上記天井側の吸込口（23a）を塞ぐようにケーシング（34）に取り付けられる閉鎖板（19）を備えている。
【００１０】
第２の発明では、ケーシング（34）に天井側の吸込口（23a）と室内側の吸込口（23b）とが形成されている。また、室内ユニット（10）は、天井側の吸込口（23a）又は室内側の吸込口（23b）を塞ぐ閉鎖板（19）を備えている。この第２の発明では、設置状態によって、一方の吸込口（23a,23b）を閉鎖板（19）で塞ぎ、他方の吸込口（23a,23b）を天井裏の空間又は室内空間に開口することで、第１の設置状態と第２の設置状態との何れでも設置可能に構成されている。
【００１１】
第３の発明は、上記第２の発明において、上記天井側の吸込口（23a）が上記ケーシング（34）の上面に形成され、上記室内側の吸込口（23b）が上記ケーシング（34）の下面に形成されている。
【００１２】
第３の発明では、天井側の吸込口（23a）をケーシング（34）の上面に形成して、室内側の吸込口（23b）をケーシング（34）の下面に形成している。従って、ケーシング（34）では上面と下面とが対面しているので、天井側の吸込口（23a）と室内側の吸込口（23b）とが対面する。
【００１３】
第４の発明は、上記第３の発明において、上記室内ファン（39）が、ファンハウジング（35）の側方から吸って前方へ吹き出す多翼ファンとして構成され、該ファンハウジング（35）の側方が上記ケーシング（34）の側面に対面して前方が上記室内熱交換器（38）に対面するように設置されている。
【００１４】
第４の発明では、ファンハウジング（35）の空気を吸い込む側方が、ケーシング（34）の側面に対面している。すなわち、ファンハウジング（35）の空気を吸い込む側方が、ケーシング（34）の上面に対してもケーシング（34）の下面に対しても概ね同じ方向を向く状態になっている。従って、ファンハウジング（35）の空気を吸い込む側方は、天井側の吸込口（23a）に対しても室内側の吸込口（23b）に対しても概ね同じ方向を向いている。
【００１５】
第５の発明は、上記第１の発明において、上記ケーシング（34）の構成面のうちの１つだけに空気の吸込口（23）が開口しており、上記第１の設置状態では、上記吸込口（23）が室内空間に開口して該吸込口（23）が開口する構成面が底面となる状態で上記ケーシング（34）が設置され、上記第２の設置状態では、上記吸込口（23）の開口する構成面以外の構成面が底面となる状態で上記ケーシング（34）が設置されている。
【００１６】
第５の発明では、第１の設置状態の場合は吸込口（23）が天井裏の空間に開口するようにケーシング（34）が設置され、第２の設置状態の場合は吸込口（23）が室内空間に開口するようにケーシング（34）が設置される。第１の設置状態と第２の設置状態では同じ吸込口（23）が使用される。
【００１７】
第６の発明は、上記第５の発明において、上記第１の設置状態で上記室内熱交換器（38）の下方に位置する第１のドレンパン（40a）と、上記第２の設置状態で上記室内熱交換器（38）の下方に位置する第２のドレンパン（40b）と、上記第１の設置状態では上記第１のドレンパン（40a）からドレン水を吸い込む状態で設置され、上記第２の設置状態では上記第２のドレンパン（40b）からドレン水を吸い込む状態で設置されるドレンポンプ（41）とを備えている。
【００１８】
第６の発明では、ドレンポンプ（41）が、第１の設置状態では第１のドレンパン（40a）からドレン水を吸い込む状態で設置され、第２の設置状態では第２のドレンパン（40b）からドレン水を吸い込む状態で設置される。すなわち、ドレンポンプ（41）が第１のドレンパン（40a）と第２のドレンパン（40b）とに共用されている。
【発明の効果】
【００１９】
本発明では、室内ユニット（10）が、第１の設置状態と第２の設置状態との何れでも設置可能に構成されている。すなわち、室内ユニット（10）は、第１の設置状態と第２の設置状態との何れにも対応可能になっている。従って、天井裏から吸い込まれた空気が室内熱交換器（38）へ送られる設置状態と、室内から吸い込まれた空気が室内熱交換器（38）へ送られる設置状態との何れにも対応可能な室内ユニット（10）が提供される。この室内ユニット（10）を室内吸込用としても天井裏吸込用としても使用できるので、従来に比べて使い勝手が良いものとなる。
【００２０】
また、第３の発明では、天井側の吸込口（23a）をケーシング（34）の上面に形成して、室内側の吸込口（23b）をケーシング（34）の下面に形成することで、天井側の吸込口（23a）と室内側の吸込口（23b）とが対面するようにしている。すなわち、この室内ユニット（10）では、室内熱交換器（38）が上下からこれらの吸込口（23a,23b）に挟まれている。従って、第１の設置状態と第２の設置状態とで、各吸込口（23a,23b）から室内熱交換器（38）に至るまで空気通路が概ね上下対称となり、該空気通路における圧力損失が概ね等しくなる。従って、第１の設置状態と第２の設置状態とで室内ファン（39）の回転速度が同じであれば室内熱交換器（38）を通過する空気の風量が概ね等しくなるので、設置状態によらず室内ユニット（10）が同じ空調能力を発揮しやすくなる。
【００２１】
また、第４の発明では、ファンハウジング（35）の側方がケーシング（34）の側面に対面するように室内ファン（39）を設置することで、ファンハウジング（35）の空気を吸い込む側方が、天井側の吸込口（23a）に対しても室内側の吸込口（23b）に対しても概ね同じ方向を向くようにしている。すなわち、第１の設置状態でも第２の設置状態でも、ファンハウジング（35）の空気を吸い込む側方は、各設置状態で空気を吸い込む方の吸込口（23a,23b）に対して同じ様な位置関係になる。従って、第１の設置状態と第２の設置状態では、室内ファン（39）における回転速度と吹出風量との関係が同じ様になるので、設置状態によらず室内ユニット（10）が同じ空調能力を発揮しやすくなる。また、設置状態に応じて室内ファン（39）の運転制御を調節する必要もない。
【００２２】
また、第５の発明では、設置状態によって吸込口（23）が開口する空間を変えることで、第１の設置状態と第２の設置状態で同じ吸込口（23）を使用するようにしている。従って、第１の設置状態でも第２の設置状態でも、吸込口（23）から吸い込まれた空気がケーシング（34）内の同じ部分を流通する。よって、第１の設置状態と第２の設置状態で室内ファン（39）の回転速度が同じであれば、室内熱交換器（38）を通過する空気の風量も概ね等しくなるので、設置状態によらず室内ユニット（10）が同じ空調能力を発揮しやすくなる。
【００２３】
また、第６の発明では、設置状態に応じてドレンポンプ（41）を設置するドレンパン（40a,40b）を変えることで、ドレンポンプ（41）を第１のドレンパン（40a）と第２のドレンパン（40b）とで共用するようにしている。従って、第１のドレンパン（40a）と第２のドレンパン（40b）とのそれぞれにドレンポンプ（41）を準備する必要がないので、室内ユニット（10）の構造を簡素化できると共に、製作コストを低減させることができる。
【発明を実施するための最良の形態】
【００２４】
以下、本発明の実施形態を図面に基づいて詳細に説明する。
【００２５】
《発明の実施形態１》
本発明の実施形態１について説明する。本実施形態１の空気調和装置の室内ユニット（10）は、室内空間の天井裏に設置される室内ユニット（10）である。室内ユニット（10）は、図示しない室外ユニットと共に空気調和装置を構成している。室内ユニット（10）は、冷媒配管を介して室外ユニットに接続される。
【００２６】
図１及び図２に示すように、室内ユニット（10）は、箱状のケーシング（34）を備えている。ケーシング（34）は、略直方体状に形成されている。ケーシング（34）内には、室内熱交換器（38）と室内ファン（39）とドレンパン（40）とドレンポンプ（41）とが設けられている。室内熱交換器（38）と室内ファン（39）とは、それぞれ２つずつ設けられている。
【００２７】
各室内熱交換器（38）は、クロスフィン式のフィン・アンド・チューブ型熱交換器として構成されている。各室内熱交換器（38）は、全体として略長方形の平板状に形成されている。各室内熱交換器（38）は、短手方向が縦方向になるように立設されている。各室内熱交換器（38）は、長手方向がケーシング（34）の長手方向と一致するように、ケーシング（34）の長手側の側面に沿って配置されている。各室内熱交換器（38）には、ケーシング（34）の短手側の側面に設けられた接続ポート（14,14）から延びるガス側の冷媒配管（12）と液側の冷媒配管（13）とが接続されている。これら接続ポート（14,14）には、室外ユニットからの冷媒配管が接続される。
【００２８】
各室内ファン（39）は、ファンハウジング（35）の側方から吸って前方へ吹き出す多翼ファンとして構成されている。各室内ファン（39）は、いわゆるシロッコファンである。各室内ファン（39）は、それぞれがファンハウジング（35）と羽根車（36）とを備え、１つのファンモータ（37）を共有している。
【００２９】
各ファンハウジング（35）は、接線方向に延びる突出部分を有する略円筒形状に形成されている。各ファンハウジング（35）は、上記突出部分の先端に吹出口が形成され、円筒部分の一方の底面に吸込口が形成されている。各ファンハウジング（35）は、ケーシング（34）の長手方向に沿って立設けられた２枚のファン天板（28）の間にケーシング（34）の長手方向に並んだ状態で配置されている。各ファンハウジング（35）は、吹出口が室内熱交換器（38）に対面して吸込口がケーシング（34）の短手側の側面に対面している。これらのファンハウジング（35）は、上記突出部分が別々のファン天板（28）を貫通し吹出口が別々の室内熱交換器（38）に対面している。
【００３０】
ファンモータ（37）は、ファンハウジング（35）の間に配置され、一方のファン天板（28）に取付具を介して取り付けられている。ファンモータ（37）は、回転軸がケーシング（34）の長手方向に沿うように配置されている。各羽根車（36）は、略円筒状に形成されており、側面部分が複数の羽根で構成されている。各羽根車（36）の側面部分は、羽根と羽根の間が隙間になっている。各羽根車（36）は、ファンハウジング（35）にそれぞれ収容されている。各羽根車（36）は、ファンモータ（37）の回転軸に連結されている。
【００３１】
ドレンパン（40）は、ドレン受部（42）とポンプ設置部（43）とを備えている。ドレン受部（42）は、各室内熱交換器（38）において空気中の水分が凝縮されて生じるドレン水を受けることができるように、各室内熱交換器（38）の下側に設けられている。各ドレン受部（42）は、略長方形状に形成され、それぞれが室内熱交換器（38）に沿って延びている。ポンプ設置部（43）は、略長方形状に形成されている。ポンプ設置部（43）の両端部には、ドレン受部（42）の一端がそれぞれ接続されている。ポンプ設置部（43）の中央部におけるケーシング（34）の短手側の側面寄りの位置にはドレンポンプ（41）が設置されている。ドレンポンプ（41）は、ドレンパン（40）にネジ等で固定される取付板（27）に取り付けられている。ドレンポンプ（41）には、ケーシング（34）の短手側の側面に設けられた接続ポート（15）から延びるドレン配管が接続されている。この接続ポート（15）には、室外へ延びるドレン配管が接続される。
【００３２】
各ドレン受部（42）の底面は、ポンプ設置部（43）側が低くなるように傾斜している。ポンプ設置部（43）は、ドレンポンプ（41）の設置位置が低くなるように両端から中央へ向かって傾斜している。これにより、ドレン受部（42）に落下したドレン水はポンプ設置部（43）に流入し、ドレンポンプ（41）の周辺に集められる。ドレンポンプ周辺に集められたドレン水は、ドレンポンプ（41）によりドレン配管を介して室外へ排出される。
【００３３】
ケーシング（34）の長手側の側面のそれぞれには、吹出用ダクト（11）を接続するための吹出口（22）が形成されている。ケーシング（34）の上面には、天井側の吸込口（23a）が形成されている。各天井側の吸込口（23a）は、室内熱交換器（38）よりも内側で２つの室内ファン（39）の上側に跨る状態で開口している。ケーシング（34）の下面には、室内側の吸込口（23b）が形成されている。各室内側の吸込口（23b）は、室内熱交換器（38）よりも内側で２つの室内ファン（39）の下側に跨る状態で開口している。天井側の吸込口（23a）及び室内側の吸込口（23b）の内側には、吸込空気の塵埃を除去するためのフィルタがそれぞれ設けられている（図示省略）。
【００３４】
また、室内ユニット（10）は、ケーシング（34）に取り付けられる閉鎖板（19）を備えている。閉鎖板（19）は、吸込口（23a,23b）よりも一回り大きな平板状に形成されている。閉鎖板（19）は、ケーシング（34）に対して、天井側の吸込口（23a）を塞ぐ位置と室内側の吸込口（23b）を塞ぐ位置とのどちらにでも取付可能になっている。
【００３５】
上記構成により、この実施形態１の室内ユニット（10）は、天井裏から吸い込まれた空気が室内熱交換器（38）へ送られる第１の設置状態と、室内から吸い込まれた空気が室内熱交換器（38）へ送られる第２の設置状態との何れでも設置可能になっている。
【００３６】
第１の設置状態では、図２（Ａ）に示すように、ケーシング（34）の下面に室内側の吸込口（23b）を塞ぐ閉鎖板（19）が取り付けられる。ケーシング（34）は、建物の躯体から吊り下げられ、閉鎖板（19）の外面が天井板の裏面に当接する状態で設置される。ケーシング（34）の各長手側の側面の吹出口（22）には、吹出用ダクト（11）がそれぞれ接続される。
【００３７】
これにより、室内ファン（39）によって天井裏の空間の空気が天井側の吸込口（23a）から吸い込まれ、フィルタを通過して室内熱交換器（38）へ送られる。室内熱交換器（38）に送られた空気は、室内熱交換器（38）を通過する際に温度調節される。そして、温度調節された空気は、吹出口（22）から吹出用ダクト（11）に流入し、室内へ供給される。
【００３８】
第２の設置状態では、図２（Ｂ）に示すように、ケーシング（34）が、その下面が天井板の下面と略面一になる状態で天井板に形成された開口に嵌め込まれる。ケーシング（34）は、建物の躯体から吊り下げられる。ケーシング（34）の下面には、室内側の吸込口（23b）の位置に対応して吸込グリルが形成された化粧パネル（21）が取り付けられる。ケーシング（34）の上面には、天井側の吸込口（23a）を塞ぐように閉鎖板（19）が取り付けられる。ケーシング（34）の各長手側の側面の吹出口（22）には、吹出用ダクト（11）がそれぞれ接続される。
【００３９】
これにより、室内ファン（39）によって室内空間の空気が室内側の吸込口（23b）から吸い込まれ、フィルタを通過して室内熱交換器（38）へ送られる。室内熱交換器（38）に送られた空気は、室内熱交換器（38）を通過する際に温度調節される。そして、温度調節された空気は、吹出口（22）から吹出用ダクト（11）に流入し、室内へ供給される。
【００４０】
−実施形態１の効果−
上記実施形態１では、室内ユニット（10）が、第１の設置状態と第２の設置状態との何れでも設置可能に構成されている。すなわち、室内ユニット（10）は、第１の設置状態と第２の設置状態との何れにも対応可能になっている。従って、天井裏から吸い込まれた空気が室内熱交換器（38）へ送られる設置状態と、室内から吸い込まれた空気が室内熱交換器（38）へ送られる設置状態との何れにも対応可能な室内ユニット（10）が提供される。この室内ユニット（10）を室内吸込用としても天井裏吸込用としても使用できるので、従来に比べて使い勝手が良いものとなる。
【００４１】
また、上記実施形態１では、天井側の吸込口（23a）をケーシング（34）の上面に形成して、室内側の吸込口（23b）をケーシング（34）の下面に形成することで、天井側の吸込口（23a）と室内側の吸込口（23b）とが対面するようにしている。すなわち、この室内ユニット（10）では、室内熱交換器（38）が上下からこれらの吸込口（23a,23b）に挟まれている。従って、第１の設置状態と第２の設置状態とで、各吸込口（23a,23b）から室内熱交換器（38）に至るまで空気通路が概ね上下対称となり、該空気通路における圧力損失が概ね等しくなる。従って、第１の設置状態と第２の設置状態とで室内ファン（39）の回転速度が同じであれば室内熱交換器（38）を通過する空気の風量が概ね等しくなるので、設置状態によらず室内ユニット（10）が同じ空調能力を発揮しやすくなる。
【００４２】
また、上記実施形態１では、ファンハウジング（35）の側方がケーシング（34）の側面に対面するように室内ファン（39）を設置することで、ファンハウジング（35）の空気を吸い込む側方が、天井側の吸込口（23a）に対しても室内側の吸込口（23b）に対しても概ね同じ方向を向くようにしている。すなわち、第１の設置状態でも第２の設置状態でも、ファンハウジング（35）の空気を吸い込む側方は、各設置状態で空気を吸い込む方の吸込口（23a,23b）に対して同じ様な位置関係になる。従って、第１の設置状態と第２の設置状態では、室内ファン（39）における回転速度と吹出風量との関係が同じ様になるので、設置状態によらず室内ユニット（10）が同じ空調能力を発揮しやすくなる。また、設置状態に応じて室内ファン（39）の運転制御を調節する必要もない。
【００４３】
−実施形態１の変形例−
実施形態１の変形例について説明する。この変形例では、天井側の吸込口（23a）をケーシング（34）の短手側の側面のそれぞれに形成する。天井側の吸込口（23a）は、各短手側の側面においてファンハウジング（35）の吹出口に対面する位置に形成する。この場合、接続ポート（14,15）を、短手側の側面における天井側の吸込口（23a）の周囲か、長手側の側面に設けるようにする。
【００４４】
なお、天井側の吸込口（23a）は、ケーシング（34）の短手側の側面ではなく、ケーシング（34）の長手側の側面に形成することも可能である。
【００４５】
《発明の実施形態２》
本発明の実施形態２について説明する。実施形態２の室内ユニット（10）は、上下を反転させることで第１の設置状態と第２の設置状態とに対応可能に構成されている。
【００４６】
図３に示すように、この実施形態２では、ケーシング（34）が実施形態１と同様に直方体状に形成されている。ケーシング（34）は、天板又は底板となる平面板（34a,34b）と、平面板（34a,34b）の長辺から垂直に延びる長辺側板（34c,34d）と、平面板（34a,34b）の短辺から垂直に延びる短辺側板とを２枚ずつ備えている。２つの平面板（34a,34b）のうち一方の第１平面板（34a）には吸込口（23）が形成されている。第１平面板（34a）は、第１の設置状態では天板となり、第２の設置状態では底板となる。各長辺側板（34c,34d）には吹出口（22）が形成されている。また、図示しないが、一方の短辺側板には冷媒配管用の接続ポート（14,14）とドレン配管用の接続ポート（15）とが設けられている。なお、この実施形態２では、室内ユニット（10）が閉鎖板（19）を備えていない。
【００４７】
室内ユニット（10）は、第１のドレンパン（40a）と、第２のドレンパン（40b）と、ドレンポンプ（41）とを備えている。第１のドレンパン（40a）は、室内熱交換器（38）における第１平面板（34a）に対面する第２平面板（34b）側に設けられている。すなわち、第１のドレンパン（40a）は、第１の設置状態で室内熱交換器（38）の下方に位置する。第２のドレンパン（40b）は、室内熱交換器（38）の第１平面板（34a）側に設けられている。すなわち、第２のドレンパン（40b）は、第２の設置状態で室内熱交換器（38）の下方に位置する。第１のドレンパン（40a）と第２のドレンパン（40b）とは、室内熱交換器（38）を挟んで対面している。
【００４８】
ドレンポンプ（41）は、ケーシング（34）内に１つ設けられる。ドレンポンプ（41）は、第１の設置状態では第１のドレンパン（40a）のポンプ設置部（43）に設置され、第１のドレンパン（40a）からドレン水を吸い込む状態になる。ドレンポンプ（41）は、第２の設置状態では第２のドレンパン（40b）のポンプ設置部（43）に設置され、第２のドレンパン（40b）からドレン水を吸い込む状態になる。各ポンプ設置部（43）は、ドレンポンプ（41）が取り付けられた取付板（27）を、ネジなどで取付及び取外し可能に構成されている。
【００４９】
上記構成により、この実施形態２の室内ユニット（10）は、天井裏から吸い込まれた空気が室内熱交換器（38）へ送られる第１の設置状態と、室内から吸い込まれた空気が室内熱交換器（38）へ送られる第２の設置状態との何れでも設置可能になっている。
【００５０】
第１の設置状態では、図３（Ａ）に示すように、ケーシング（34）は、吸込口（23）が天井裏の空間に開口する状態で、第１平面板（34a）が上板となって第２平面板（34b）が底板となるように設置される。第２平面板（34b）は、天井板の裏面に当接する。ケーシング（34）の各長手側の側面の吹出口（22）には、吹出用ダクト（11）がそれぞれ接続される。また、第１のドレンパン（40a）のポンプ設置部（43）には、ドレンポンプ（41）が取り付けられた取付板（27）が取り付けられる。
【００５１】
第２の設置状態では、図３（Ｂ）に示すように、ケーシング（34）が、吸込口（23）が室内空間に開口する状態で、第１平面板（34a）が底板となって第２平面板（34b）が上板となるように設置される。第１平面板（34a）には、吸込口（23）に対応して吸込グリルが形成された化粧パネル（21）が取り付けられる。ケーシング（34）の各長手側の側面の吹出口（22）には、吹出用ダクト（11）がそれぞれ接続される。また、第２のドレンパン（40b）のポンプ設置部（43）には、ドレンポンプ（41）が取り付けられた取付板（27）が取り付けられる。
【００５２】
−実施形態２の効果−
上記実施形態２では、設置状態によって吸込口（23）が開口する空間を変えることで、第１の設置状態と第２の設置状態で同じ吸込口（23）を使用するようにしている。従って、第１の設置状態でも第２の設置状態でも、吸込口（23）から吸い込まれた空気がケーシング（34）内の同じ部分を流通する。よって、第１の設置状態と第２の設置状態で室内ファン（39）の回転速度が同じであれば、室内熱交換器（38）を通過する空気の風量も概ね等しくなるので、設置状態によらず室内ユニット（10）が同じ空調能力を発揮しやすくなる。
【００５３】
また、上記実施形態２では、設置状態に応じてドレンポンプ（41）を設置するドレンパン（40a,40b）を変えることで、ドレンポンプ（41）を第１のドレンパン（40a）と第２のドレンパン（40b）とで共用するようにしている。従って、第１のドレンパン（40a）と第２のドレンパン（40b）とのそれぞれにドレンポンプ（41）を準備する必要がないので、室内ユニット（10）の構造を簡素化できると共に、製作コストを低減させることができる。
【００５４】
−実施形態２の変形例−
実施形態２の変形例について説明する。この変形例では、吸込口（23）が形成された第１平面板（34a）に隣り合う側板のうちの１つが、第１の設置状態において底板となるように構成している。すなわち、第１の設置状態においてその側板が底板となるようにケーシング（34）を設置すると、吸込口（23）が横方向に開口する状態となる。この変形例では、上下を反転させるのではなく、ケーシング（34）を９０度回転させることで、第１平面板（34a）が底板となる第２の設置状態と、上記側板が底板となる第１の設置状態とを切り替えることができる。なお、第１の設置状態において底板なる側板は、長辺側板（34c,34d）であっても短辺側板であってもよい。長辺側板（34c,34d）を第１の設置状態において底板なるようにする場合は、吹出用ダクト（11）を短辺側板若しくは第２平面板（34b）に形成する。
【００５５】
《その他の実施形態》
上記実施形態について、室内ファン（39）は、ターボファンなど他の構成のファンであってもよい。この場合、１台の室内ファン（39）でその室内ファン（39）を挟む２つの室内熱交換器（38）に吸い込んだ空気を送り込むように構成してもよい。
【００５６】
なお、以上の実施形態は、本質的に好ましい例示であって、本発明、その適用物、あるいはその用途の範囲を制限することを意図するものではない。
【産業上の利用可能性】
【００５７】
以上説明したように、本発明は、室内空間の天井裏に設置される空気調和装置の室内ユニットについて有用である。
【図面の簡単な説明】
【００５８】
【図１】本発明の実施形態１に係る室内ユニットのケーシング内部の平面図である。
【図２】本発明の実施形態１に係る室内ユニットの断面図であり、（Ａ）は第１の設置状態を示すものであり、（Ｂ）は第２の設置状態を示すものである。
【図３】本発明の実施形態２に係る室内ユニットの断面図であり、（Ａ）は第１の設置状態を示すものであり、（Ｂ）は第２の設置状態を示すものである。
【符号の説明】
【００５９】
10  室内ユニット
11  吸込用ダクト（ダクト）
19  閉鎖板
23  吸込口
23a 天井側の吸込口
23b 室内側の吸込口
34  ケーシング
35  ファンハウジング
38  室内熱交換器
39  室内ファン
40  ドレンパン
40a 第１のドレンパン
40b 第２のドレンパン
41  ドレンポンプ
【図１】
2007333282.tif 000003
【図２】
2007333282.tif 000004
【図３】
2007333282.tif 000005